(57)【要約】【課題】遠方まで照明できるとともに、必要な箇所のみを照明できる照明器具を提供すること。【解決手段】前面が開放する箱状の器具本体１と、器具本体１の内部に配置される正面反射板２と、正面反射板２の前面側に配置される光源ランプ３とを有する照明器具であって、正面反射板２は、少なくとも一部が平板を順次折り曲げて多段に形成されるとともに、全体として円弧状曲面に沿った形状に形成されている照明器具である。【選択図】図１
2008226861.tif 000002
【特許請求の範囲】
【請求項１】
前面が開放する箱状の器具本体と、器具本体の内部に配置される正面反射板と、正面反射板の前面側に配置される光源ランプとを有する照明器具であって、正面反射板は、その少なくとも一部が平板を順次折り曲げて多段に形成されるとともに、全体として円弧状曲面に沿った形状に形成されている照明器具。
【請求項２】
反射板が、器具本体の上部開口縁から下部開口縁にわたって配置されている請求項１に記載の照明器具。
【請求項３】
器具本体の側面内側に側面反射板が配置され、側面反射板が前面反射板の側端部と接するように配置されている請求項１又は２に記載の照明器具。
【発明の詳細な説明】
【技術分野】
【０００１】
本発明は、建物等の壁面の照明や駐車場の照明などに使用する照明器具に関する。
【背景技術】
【０００２】
かかる照明器具として、前面が開放する箱状の器具本体の内部に反射板を配置するとともに、反射板の前面側に光源ランプを配置し、光源ランプからの光を反射板で反射させて器具本体の開口部から照明するようにしたものが知られている。そして従来、このような照明器具の反射板としては、一般的に、ドーム状や放物曲面状といった円弧状曲面をなすものが使用されていた（例えば、特許文献１参照）。
【０００３】
しかし、円弧状曲面をなす反射板を使用した場合、反射される光の方向がそれぞれに異なるため、光の指向性が弱く遠方まで照明できないという問題があった。さらに、反射板から反射された光があらゆる方向に発散し、照明したくない部分まで照明してしまうという問題もあった。
【特許文献１】特開２０００−１６４００８号公報
【発明の開示】
【発明が解決しようとする課題】
【０００４】
本発明が解決しようとする課題は、遠方まで照明できるとともに、必要な箇所のみを照明できる照明器具を提供することにある。
【課題を解決するための手段】
【０００５】
本発明の照明器具は、前面が開放する箱状の器具本体と、器具本体の内部に配置される正面反射板と、正面反射板の前面側に配置される光源ランプとを有する照明器具であって、正面反射板は、その少なくとも一部が平板を順次折り曲げて多段に形成されるとともに、全体として円弧状曲面に沿った形状に形成されていることを特徴とするものである。
【０００６】
このように本発明では、正面反射板はその少なくとも一部が平板を順次折り曲げて多段に形成されており、折り曲げて形成された反射面は平面状であるので、反射される光の指向性は高く、遠方まで照明できる。また、各反射面の向き（傾斜角度）や長さをそれぞれ調整することにより、反射光の方向を制御でき、必要な箇所のみを照明できる。とくに、正面反射板の全体について平板を順次折り曲げて多段に形成することにより、反射される光の指向性は最も高くなり、遠方まで照明できる。一方、指向性に加えて柔らかい照明が求められる場合は、正面反射板の一部について平板を順次折り曲げて多段に形成し、他の部分は円弧状曲面とすることができる。
【０００７】
本発明において、正面反射板は、器具本体の上部開口縁から下部開口縁にわたって配置することが好ましい。また、器具本体の側面内側に側面反射板を配置することもでき、この場合、側面反射板が前面反射板の側端部と接するように配置することが好ましい。
【発明の効果】
【０００８】
以上説明したように、本発明の照明器具よれば、遠方まで照明できるとともに、必要な箇所のみを照明できる。
【発明を実施するための最良の形態】
【０００９】
以下図面に示す実施例に基づき本発明の実施の形態を説明する。
【実施例１】
【００１０】
図１は本発明の照明器具の第１実施例を示す斜視図、図２は図１に示す照明器具の使用状態を示す斜視図、図３は図１に示す照明器具の反射板を示す左側面図である。
【００１１】
図示の照明器具は、前面が開放する箱状の器具本体１を有し、その内部に正面反射板２が配置され、正面反射板２の前面側に光源ランプ３が配置される。また、器具本体１の両側面の内側には側面反射板４が配置される。さらに、器具本体１の前面開口部分には蓋５が開閉可能に設けられ、使用状態では図２に示すように蓋５は閉じられる。この使用状態では、図示のように必要に応じて蓋５の前面側にプラスチック枠からなる前部反射板６が取り付けられる。
【００１２】
なお、この照明器具を室内で使用する場合には、蓋は設けない場合がある。一方屋外で使用する場合には、蓋としてガラス板等を使用し、これを器具本体１の前面開口部分にパッキン等を介して装着し、防水性、防塵性、耐塩害性等をもたせることもできる。
【００１３】
正面反射板２は、表面が鏡面加工された平板（実施例ではステンレス鋼板）を順次折り曲げて多段に形成され、全体としては図３に示すように、円弧に沿った形状に形成される。すなわち、正面反射板２の各反射面２ａは平面であり、各反射面２ａが連なって全体として円弧に沿った形状になっている。したがって、各反射面２ａの向き（傾斜角度）や長さを調整することで、所望の範囲を照明することができる。実施例では、平板を１２面折りにして１２個の反射面２ａを形成している。この反射面２ａの数は１２個には限定されないが、照明範囲の調整を容易にするには、１０〜２０個の反射面を形成することが好ましい。
【００１４】
この正面反射板２は、器具本体１の上部開口縁１ａから下部開口縁１ｂにわたって配置されており、そのため、正面反射板２には、上部開口縁１ａ及び下部開口縁１ｂにそれぞれ係止する係止部２ｂ，２ｂが設けられている。
【００１５】
側面反射板４は器具本体１の内方に向けて突き出す山形状に形成され、その下端部は前面反射板２の側端部と接しており、前面反射板２と側面反射板４が実質的に一体の凹状の反射板を形成している。このように、側面反射板４を山形状に形成することにより、側面反射板４により光を広範囲に反射し、広範囲を照明することができる。その照明範囲は山形状の側面反射板４の形状（角度等）を調整することによって調整することができる。
【００１６】
また、それぞれの側面反射板４には器具本体１の側面上端１ｃに係止する係止部４ａが設けられ、一方の側面反射板４には光源ランプを貫通するための貫通孔４ｂが設けられている。この貫通孔４ｂは、照明器具の使用形態（配置形態）に応じ、防水性、光源ランプの装着性等を考慮していずれか一方の側面反射板に設ける。
【００１７】
図４は、本実施例の照明器具における光源ランプ３からの光の反射経路を概略的に示す断面図である。同図の例では、前面反射板２の形状やその反射面２ａの向き（傾斜角度）、長さ等を調整することで、器具本体１の下部開口縁１ｂより下方には反射光が到達しないようにしており、これによって、下部開口縁１ｂより下方の領域を除いて、遠方まで照明できる。
【実施例２】
【００１８】
図５は本発明の照明器具の第２実施例を示す斜視図である。第１実施例では側面反射板４を器具本体１の内方に向けて突き出す山形状に形成したが、本実施例では、器具本体１の側面に沿った平板状に形成している。他の構成は、第１実施例と同一である。
【００１９】
本実施例の照明器具では、山形状の側面反射板を備えた第１実施例に比べ照明範囲は狭くなるが、照明器具の前方を中心的に照明したい場合には好適である。また、本実施例では、両側の側面反射板４を、その間隔が前面側に向けて拡がるように傾斜させて設けているので、その傾斜角度を調整することにより、ある程度は照明範囲を広くすることができる。
【実施例３】
【００２０】
図６は本発明の照明器具の第３実施例における反射板の断面図である。第１実施例では、正面反射板２の全体について平板を順次折り曲げて多段に形成することにより、全体にわたって複数の平面状の反射面２ａを形成したが、本実施例では、折り曲げにより平面状の反射面２ａを一部に形成し、残りの部分を円弧状曲面の反射面２ａ’としている。
【００２１】
本実施例では、第１実施例に比べ反射光の指向性に劣り、遠方まで照明することはできないが、円弧状曲面の反射面２ａ’により柔らかな照明が得られ、しかも、平面状の反射面２ａによってある程度は遠方まで照明できるという利点がある。
【図面の簡単な説明】
【００２２】
【図１】本発明の照明器具の一実施例を示す斜視図である。
【図２】図１に示す照明器具の使用状態を示す斜視図である。
【図３】図１に示す照明器具の反射板を示す左側面図である。
【図４】図１に示す照明器具における光源ランプからの光の反射経路を概略的に示す断面図である。
【図５】図５は本発明の照明器具の第２実施例を示す斜視図である。
【図６】本発明の照明器具の第３実施例における反射板の断面図である。
【符号の説明】
【００２３】
１  器具本体
１ａ  上部開口縁
１ｂ  下部開口縁
１ｃ  側面上端
２  前面反射板
２ａ、２ａ’  反射面
２ｂ  係止部
３  光源ランプ
４  側面反射板
４ａ  係止部
４ｂ  貫通孔
５  蓋
６  前部反射板
【図１】
2008226861.tif 000003
【図２】
2008226861.tif 000004
【図３】
2008226861.tif 000005
【図４】
2008226861.tif 000006
【図５】
2008226861.tif 000007
【図６】
2008226861.tif 000008